(57)【要約】【課題】  排水口からトラップ下流排水管に抵抗無く屋内配管用清掃具を挿し入れる。【解決手段】  槽部Ａの排水口１にＳトラップＢを連絡し、そのＳトラップＢのＵ字管Ｂ１は、管間を排水口１に臨む入口ｂ１から下向きに傾斜させてディップＤまで延設する第１共用隔壁Ｃ１で構成し、逆Ｕ字管Ｂ２は、管間をウェアＷまで延設する第２共用隔壁Ｃ２で連続すると共に下端を出口ｂ２とする後半側管部Ｂ２”が第１共用隔壁Ｃ２で前記入口ｂ１真下にその入口ｂ１と隔絶されるレイアウトになるように構成してなり、排水口１及び入口ｂ１が臨む第１共用隔壁Ｃ１部分に屋内配管用清掃具Ｎを出し入れする開閉可能な通路２を設けると共に前記出口ｂ２にトラップ下流排水管Ｐを連結にして、槽内から鉛直状もしくは略鉛直状をもって通路２、逆Ｕ字管Ｂ２の後半側管部Ｂ２”を介して屋内配管用清掃具Ｎを前記トラップ下流排水管Ｐに出し入れ可能とし、前記開閉可能な通路Ｎは排水口１方向に立上形成する。【選択図】  図２
2006144363.tif 000002
【特許請求の範囲】
【請求項１】
槽部の排水口に入口を臨ませてトラップを連絡し、該トラップの出口を、前記入口を上位にした上下関係をもって同芯または略同芯をもって設け、前記入口と出口とを屋内配管用清掃具を出し入れする開閉可能な通路で連絡すると共に前記出口にトラップ下流排水管を連結にして、槽内から鉛直状もしくは略鉛直状をもって通路を介して屋内配管用清掃具を前記トラップ下流排水管に出し入れ可能にしたことを特徴とする排水配管構造。
【請求項２】
槽部の排水口にＳトラップを連絡し、前記ＳトラップのＵ字管は、その管間を排水口に臨む入口から下向きに傾斜させてディップまで延設する第１共用隔壁で構成し、前記Ｓトラップの逆Ｕ字管は、その管間をウェアまで延設する第２共用隔壁で連続すると共に下端を出口とする後半側管部が前記第１共用隔壁で前記入口真下にその入口と隔絶されるレイアウトになるように構成してなり、排水口及び入口が臨む第１共用隔壁部分に屋内配管用清掃具を出し入れする開閉可能な通路を設けると共に前記出口にトラップ下流排水管を連結にして、槽内から鉛直状もしくは略鉛直状をもって通路、逆Ｕ字管の後半側管部を介して屋内配管用清掃具を前記トラップ下流排水管に出し入れ可能にしたことを特徴とする排水配管構造。
【請求項３】
前記開閉可能な通路は少なくとも排水口方向に立上形成されていることを特徴とする請求項１または２記載の排水配管構造。
【発明の詳細な説明】
【技術分野】
【０００１】
本発明は、洗面器、流し（シンク）、手洗い器、汚物流し等の排水口とトラップ下流排水管とを連絡して配管される排水配管構造に関するものである。
【背景技術】
【０００２】
従来、洗面台、流し（シンク）、手洗い器、汚物流し等の排水構造には、それら槽部の排水口に連通してトラップを設け、そのトラップにトラップ下流排水管を介して床下排水管（屋内配管）に連絡する構成である。
そして、２０００年４月１日より施法された「住宅の品質確保の促進等に関する法律」により排水配管全長を洗浄することが推奨されるようになっている。
そのため、特許文献１では、槽部底に一段低く段設した凹窪状の排水口底面からＵ字管の入口をその排水口に連通して垂設し、排水口側面に前記Ｕ字管の出口に連通する傾斜管を斜め下向きに連結すると共にその入口をキャップ部材で開閉可能とし、前記傾斜管を排水口側面に一端を連結する第１傾斜管部と、その第１傾斜管部よりも傾斜を急とする第２傾斜管部とで構成し、その第２傾斜管部にトラップ下流排水管を連結して、前記第１傾斜管部、第２傾斜管部をトラップ下流排水管へのバイパイ路にしている。
また、特許文献２は、槽部の排水金具に下向き傾斜状に連結したトラップ上流管に入口を連通させてトラップを設け、そのトラップ上流管にキャップ部材で開閉可能とするバイパイ路を前記トラップ上流管と同芯にして延長状に設け、その傾斜状のバイパス路にトラップの出口を連通させ、その下端にトラップ下流排水管を連結している。
そして、前記特許文献１、２共に、高圧洗浄ノズルを、キャップ部材を外した後、傾斜管（バイパイ管）や傾斜状のトラップ上流管とバイパス管を入口として、鉛直状のトラップ下流排水管を経て屋内配管に挿入して、噴出する高圧洗浄水で管内面に付着する汚物を洗い落とすようになっている。
【０００３】
しかしながら、特許文献１、２共に高圧洗浄ノズルの挿し入れ始端が、下向き傾斜状のバイパイ路に対して鉛直状のトラップ下流排水管が連結されてくの字状の屈曲路を形作るので、ノズル挿し入れ時にノズルがその屈曲路に沿うように変形して大きな摩擦抵抗を生み出し、高圧洗浄ノズルの屋内配管への挿し通し作業を重労働にする要因になっている。
また、配管が詰まった時等に先端の掻き揚げ部を回転させながら配管に付着する堆積物を掻き出すワイヤー式排水管清掃機器を挿し入れる際にも、そのワイヤーが前記屈曲路との間で大きな摩擦抵抗を生み出し、同様な問題点を惹き起こす。
【特許文献１】特開２００３−３２８４１８号公報
【特許文献２】特開２００４−２７０２９０号公報
【発明の開示】
【発明が解決しようとする課題】
【０００４】
本発明は上記従来事情に鑑みてなされたもので、その目的とする処は、排水口からトラップ下流排水管に抵抗無く屋内配管用清掃具（高圧洗浄ノズル、ワイヤー式排水管清掃機器等）を挿し入れることができる排水配管構造を提供することにある。
【課題を解決するための手段】
【０００５】
前記課題を解決するために講じた技術的手段は、槽部の排水口に入口を臨ませてトラップを連絡し、該トラップの出口を、前記入口を上位にした上下関係をもって同芯または略同芯をもって設け、前記入口と出口とを屋内配管用清掃具を出し入れする開閉可能な通路で連絡すると共に前記出口にトラップ下流排水管を連結にして、槽内から鉛直状もしくは略鉛直状をもって通路を介して屋内配管用清掃具を前記トラップ下流排水管に出し入れ可能にしたことを特徴とする排水配管構造である（請求項１）。
ここで、前記屋内配管用清掃具とは、前記する高圧洗浄ノズルやワイヤー式排水管清掃機器等を挙げることができる。
【０００６】
以上の手段によれば、通路を開放して、屋内配管用清掃具を槽内から排水口、トラップの入口、トラップの出口、その出口に連結されるトラップ下流排水管へと何の抵抗もなく鉛直状もしくは略鉛直状に挿し入れる。
【０００７】
具体的には、槽部の排水口にＳトラップを連絡し、前記ＳトラップのＵ字管は、その管間を排水口に臨む入口から下向きに傾斜させてディップまで延設する第１共用隔壁で構成し、前記Ｓトラップの逆Ｕ字管は、その管間をウェアまで延設する第２共用隔壁で連続すると共に下端を出口とする後半側管部が前記第１共用隔壁で前記入口真下にその入口と隔絶されるレイアウトになるように構成してなり、排水口及び入口が臨む第１共用隔壁部分に屋内配管用清掃具を出し入れする開閉可能な通路を設けると共に前記出口にトラップ下流排水管を連結にして、槽内から鉛直状もしくは略鉛直状をもって通路、逆Ｕ字管の後半側管部を介して屋内配管用清掃具を前記トラップ下流排水管に出し入れ可能にしていると好適なものである（請求項２）。
【０００８】
以上の手段によれば、前記請求項１と同様に槽内からトラップ下流排水管へと何の抵抗もなく鉛直状もしくは略鉛直状に屋内配管用清掃具を挿し入れる。
そして、槽部の排水口に連絡するＵ字管を、その管間を排水口に臨む入口から下向きに傾斜させてディップまで延設する第１共用隔壁で構成し、前記Ｕ字管に連続する逆Ｕ字管を、その管間をウェアまで延設する第２共用隔壁で連続すると共に下端を出口とする後半側管部が前記第１共用隔壁で前記入口真下にその入口と隔絶されるレイアウトにして、Ｕ管部と逆Ｕ管部を接近一体化させる。
【０００９】
そして、前記開閉可能な通路は少なくとも排水口方向に立上形成されている最適なものである（請求項３）。
その通路の開閉はゴムキャップ、ネジキャップ、一端を排水口内に連結した玉鎖で支持される抜差キャップ等任意の構成のものを提案することができる。
【発明の効果】
【００１０】
（請求項１、２）屋内配管用清掃具を変形させずに槽内からトラップ下流排水管へと挿し入れることが可能である。
そのため、排水口とトラップ下流排水管との間に屈曲管が形成され、その屈曲管で変形されて摩擦抵抗を伴ってトラップ下流排水管へと挿し入れられる屋内配管用清掃具に比して、屋内配管用清掃具を挿し通入れる労力の低減に寄与することができる。
その上、バイパス管等の別配管が全く不要なので、構成部品点数を低減し、安価に提供することができる。
（請求項２）しかも、その排水配管構造（Ｓトラップ）が管トラップでありながら、管間がディップ、ウェアまで伸びる共用隔壁で構成するようにＵ字管、逆Ｕ字管を連続形成して小形化しており、キャビネット内スペースの占有を最小限度に止めることができる。
（請求項３）また、通路が上方に立上がってその先端口が排水口に近づき、屋内配管用清掃具が槽内から簡単に入れられる。
【発明を実施するための最良の形態】
【００１１】
次に本発明排水配管構造の実施の形態を説明すると、図１及び図２はその第１の実施の形態を、図３は同第２の実施の形態を示している。第１の実施の形態を説明すると、符号はＡ槽部、Ｂは排水トラップである。
【実施例１】
【００１２】
槽部Ａは、この実施の形態では図２に示すように、シンク（後述では符号Ａを付して説明する）の場合を示し、シンクＡ底面の排水凹部ａ１底に排水口部材ａ２をシール材（図示せず）を介してナットａ３止めして排水口１を構成し、その排水口部材ａ２に排水トラップＢが接続されている。
【００１３】
排水トラップＢは、Ｓトラップである。
このＳトラップＢは、図１、図２に示すように排水口１の真下にトラップの入口ｂ１が臨むように連結してなり、トラップの出口ｂ２を、前記入口ｂ１を上位にした上下関係をもって設け、前記入口ｂ１と出口ｂ２とを高圧洗浄ノズル（屋内配管用清掃具）Ｎを出し入れする開閉可能な通路２で連絡した構成になっている。
【００１４】
前記ＳトラップＢのＵ字管Ｂ１は、図１、図２に示すように管間を前記入口ｂ１から下向きに直線状または湾曲状に傾斜させた後ディップＤまで鉛直状に垂下する共用隔壁Ｃ１（後述では第１共用隔壁と称する）で構成することによってそのディップＤを境にしたその後半側管部Ｂ１”を前記入口ｂ１に対して平面視で管径分変位させて形成されている。
【００１５】
前記Ｓトラップの逆Ｕ字管Ｂ２は、ウェアＷまでの管間を共用隔壁Ｃ２（後述では第２共用隔壁と称する）で連続させて下端を前記出口ｂ２とする後半側管部Ｂ２”を、前記第１共用隔壁部Ｃ１で隔てて前記する入口ｂ１の直下に配置させてある。
【００１６】
そして、トラップの入口ｂ１と出口ｂ２とを鉛直状もしくは略鉛直状に隔絶する第１共用隔壁Ｃ１部分には、高圧洗浄ノズル（屋内配管用清掃具）Ｎを案内する通路２が開閉可能に設けられている。
【００１７】
前記通路２の開閉手段は、図１に示すように通路２に弾性的に嵌着するキャップ３と、そのキャップ３を下端とするように入口ｂ１、排水口部材ａ２の内面に沿うように設けられ先端を指引っ掛け部１４としたアーム４とを備え、そのアーム４に指引っ掛け部１４を介して持上げ力を作用させることによって、キャップ３が引抜かれて通路２を開放するようになっている。
尚、アームに対してネジキャップが回転可能に取着され、該ネジキャップにドライバー等の差込溝を開溝して、アームに対して独立してドライバー等の工具の回転でキャップが回転して通路を開放した後、アームを介してそのネジキャップを抜取けるようにしても良いものである。
【００１８】
そして、図２に示すように前記する排水口部材ａ２に前記入口ｂ１を袋ナット等の任意な接続手段５で接続すると共に、出口ｂ２に鉛直状のトラップ下流排水管Ｐを連結し、そのトラップ下流排水管Ｐに屋内配管Ｐ１を接続する。
排水は、排水口１、入口ｂ１と出口ｂ２を有するＳトラップＢを経て、トラップ下流排水管Ｐ、屋内配管Ｐ１へと排出される
屋内配管Ｐ１を高圧洗浄するための高圧洗浄ノズル（屋内配管用清掃具）Ｎは、通路２を開放することによって排水口１から逆Ｕ字管Ｂ２の後半側管部Ｂ２”、トラップ下流排水管Ｐへと何ら抵抗なく真っ直ぐ通され、屋内配管Ｐ１へと挿し入れられる。
また、ＳトラップＢはそのＵ字管Ｂ１の管間をディップＤまで第１共用隔壁Ｃ１で形成すると共に逆Ｕ字管Ｂ２の管間をウェアＷまで第２共用隔壁Ｃ２で形成して、管路を接近集合させて、小形化を図っている。
【実施例２】
【００１９】
次に図３に示す第２の実施の形態を説明すると、この実施の形態は、少なくとも通路２を排水口１方向に立上形成したものである。
図３に示すように連通してウェアＷ高さ程度やそれよりも若干高い高さまで下方向にも延長させてある。
先端開放部は、ゴムキャップ１３やネジキャップで開閉可能に形成され、必要時に開放して、高圧洗浄ノズル（屋内配管用清掃具）を出し入れ可能にしている。
【００２０】
前記する両実施の形態ともゴムキャップやネジキャップ等、所謂蓋体は、排水口部材に一端に取付けた玉鎖の他端に落下不能に取り付けても良いものである。
【００２１】
尚、本発明はＳトラップのみならず、ドラムトラップ、椀トラップにも等しく適用できるものである。
【図面の簡単な説明】
【００２２】
【図１】第１の実施の形態の排水配管構造の要部である排水口部材、Ｓトラップを示す正面断面図で一部切欠して示す。
【図２】使用状態を示す同正面断面図で一部切欠して示す。
【図３】第２の実施の形態の排水配管構造の要部である排水口部材、Ｓトラップを示す正面断面図で一部切欠して示す。
【符号の説明】
【００２３】
Ａ：槽部                              １：排水口
ｂ１：入口                            ｂ２：出口
Ｂ：トラップ（Ｓトラップ）            Ｎ：高圧洗浄ノズル（屋内配管用清掃具）
２：通路                              Ｐ：トラップ下流排水管
Ｂ１：Ｕ字管                          Ｂ２：逆Ｕ字管
Ｃ１：第１共有隔壁                    Ｃ２：第２共有隔壁
Ｄ：ディップ                          Ｗ：ウェア
Ｂ２”：後半側管部（逆Ｕ字管の後半側管部）  Ｐ１：屋内配管
【図１】
2006144363.tif 000003
【図２】
2006144363.tif 000004
【図３】
2006144363.tif 000005